(57)【要約】【課題】表示装置が厚くなる。【解決手段】表示装置は、表示素子が作り込まれたモジュール本体、および、モジュール本体の表示面側を保護するカバーパネルを有する表示モジュールと、表示モジュールを支持するカバー枠とを備え、モジュール本体の周縁とカバーパネルの周縁との間でカバー枠を挟むことにより、表示モジュールが支持される。カバー枠は、モジュール本体の周縁とカバーパネルの周縁との間に挟まれる領域よりも外側において、モジュール本体側に折り曲がる折り曲げ部を有し、折り曲げ部の折り曲げによる厚みは、モジュール本体の厚みよりも小さい。【選択図】図２
2012063557.tif 000002
【特許請求の範囲】
【請求項１】
表示素子が作り込まれたモジュール本体、および、前記モジュール本体の表示面側を保護するカバーパネルを有する表示モジュールと、
前記表示モジュールを支持するカバー枠と
を備え、
前記モジュール本体の周縁と前記カバーパネルの周縁との間で前記カバー枠を挟むことにより、前記表示モジュールが支持される表示装置。
【請求項２】
前記カバー枠は、前記モジュール本体の周縁と前記カバーパネルの周縁との間に挟まれる領域よりも外側において、モジュール本体側に折り曲がる折り曲げ部を有し、
前記折り曲げ部の折り曲げによる厚みは、前記モジュール本体の厚みよりも小さい請求項１に記載の表示装置。
【請求項３】
前記折り曲げ部が装置本体にねじ止めされることにより、前記カバー枠が前記装置本体に固定される請求項２に記載の表示装置。
【請求項４】
前記装置本体に前記カバーパネルの外形に対応する開口が配され、前記折り曲げ部が前記装置本体にねじ止めされた場合に、前記カバーパネルが前記開口から露出する請求項３に記載の表示装置。
【請求項５】
前記モジュール本体は、前記カバーパネルと対向する面に、前記カバー枠を収容する段差を有する請求項１から４のいずれかに記載の表示装置。
【請求項６】
前記カバーパネルの前記モジュール本体と対向する面は平面である請求項５に記載の表示装置。
【請求項７】
前記表示モジュールは略矩形であって、前記カバー枠は一辺が開放されたコの字形状を有する請求項１から６のいずれかに記載の表示装置。
【発明の詳細な説明】
【技術分野】
【０００１】
本発明は、表示装置に関する。
【背景技術】
【０００２】
カメラ等に取付部材を介して取り付けられる表示モジュールを有する表示装置が知られている（例えば、特許文献１参照）。取付部材は、表示面の反対側の面である表示モジュールの背面を覆うように構成されている。
［先行技術文献］
［特許文献］
［特許文献１］特開２０１０−７９００１号公報
【発明の概要】
【発明が解決しようとする課題】
【０００３】
しかしながら、上述の表示装置では、取付部材が表示モジュールの背面を覆うので、表示装置が厚くなるといった課題がある。
【課題を解決するための手段】
【０００４】
上記課題を解決するために、本発明の第１の態様は、表示素子が作り込まれたモジュール本体、および、前記モジュール本体の表示面側を保護するカバーパネルを有する表示モジュールと、前記表示モジュールを支持するカバー枠とを備え、前記モジュール本体の周縁と前記カバーパネルの周縁との間で前記カバー枠を挟むことにより、前記表示モジュールが支持される表示装置である。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】表示装置が設けられたカメラの背面図である。
【図２】表示装置及び固定枠の断面図である。
【図３】表示装置及び固定枠の分解斜視図である。
【図４】図２の点線領域の拡大図である。
【図５】折り曲げ部近傍を拡大した斜視図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、表示装置が設けられたカメラの背面図である。下記の説明において、カメラから見て被写体側を前方向という。通常の使用状態での上下方向を上下方向とする。図１に示すように、カメラ１１は、装置本体の一例であるカメラ本体１２と、表示装置１３とを備える。カメラ本体１２は、ユーザが種々の操作をする操作部１４と、固定枠１５と、操作部１４及び固定枠１５を保持するボディ１６とを有する。固定枠１５は、カメラ本体１２のボディ１６に固定されている。固定枠１５の詳細については後述する。
【０００９】
図２は、表示装置及び固定枠の断面図である。図３は、表示装置及び固定枠の分解斜視図である。図４は、図２の点線領域の拡大図である。図５は、折り曲げ部近傍を拡大した斜視図である。
【００１０】
図２、図３、図４及び図５に示すように、表示装置１３は、カメラ本体１２のボディ１６の後面に設けられた固定枠１５に取り付けられている。表示装置１３は、表示モジュール２２と、カバー枠２４と、ねじ２６とを備えている。
【００１１】
図３に示す形態においては、表示モジュール２２は、略矩形状である。表示モジュール２２は、モジュール本体３０と、カバーパネル３２とを有する。モジュール本体３０は、表示素子及びＴＦＴ（即ち、薄膜トランジスタ）が作り込まれた液晶パネルと、液晶パネルを駆動するためのドライバとを有する。
【００１２】
モジュール本体３０は、後方に画像を表示するので、モジュール本体３０の後面が、表示面３１である。モジュール本体３０は、略矩形状に形成されている。モジュール本体３０は、ベース部３４と、凸部３６とを有する。ベース部３４は、矩形状に形成されている。凸部３６は、ベース部３４と一体に構成されている。凸部３６は、ベース部３４のカバーパネル３２側の面に配置されている。凸部３６は、ベース部３４よりも面積の小さい矩形状に形成されている。凸部３６の中心とベース部３４の中心は、平面視において、略一致する。これにより、モジュール本体３０は、カバーパネル３２と対向する面に、カバー枠２４を収容する段差３７を有する。
【００１３】
カバーパネル３２は、ガラス、樹脂等の光を透過可能な材料からなる。カバーパネル３２は、モジュール本体３０の表示面３１である後面に設けられている。これにより、カバーパネル３２は、モジュール本体３０の表示面３１の側を保護する。
【００１４】
カバーパネル３２の前面及び後面は、モジュール本体３０と平行な平面である。これにより、カバーパネル３２のモジュール本体３０と対向する面は、平面となっている。カバーパネル３２は、モジュール本体３０の凸部３６よりも面積が大きい矩形状であって、ベース部３４と面積が略等しい矩形状に形成されている。換言すると、カバーパネル３２は、モジュール本体３０の凸部３６よりも面積が大きい矩形状に形成されている。カバーパネル３２の中心は、モジュール本体３０の中心と一致する。これにより、カバーパネル３２の周縁とモジュール本体３０の周縁との間には、凸部３６を囲むように溝３８が形成される。
【００１５】
カバー枠２４は、ＳＵＳ等の金属からなる。カバー枠２４を樹脂等の別の材料によって構成してもよい。カバー枠２４は、３本の辺部４２、辺部４４、及び、辺部４６を有する。辺部４２は、辺部４４と平行に配置されている。辺部４６は、辺部４２及び辺部４４と直交する。辺部４２の一端部から辺部４４の一端部にわたって、辺部４６は配置されている。辺部４６と対向するカバー枠２４の一方は、開口されている。これにより、カバー枠２４は、一辺が開放されたコの字形状に形成される。辺部４２、４４、４６は、薄い板状に形成されている。辺部４２、４４、４６の厚みは、表示モジュール２２の溝３８の高さ以下である。これにより、表示モジュール２２をカバー枠２４の開口から挿入することにより、カバー枠２４の辺部４２、辺部４４、及び、辺部４６が表示モジュール２２の溝３８に挿入される。カバー枠２４が、溝３８に挿入されると、モジュール本体３０の周縁とカバーパネル３２の周縁との間で挟まれる。そして、カバー枠２４と表示モジュール２２とが一体化する。更に、カバー枠２４を固定枠１５に取り付けることによって、カバー枠２４は、表示モジュール２２を支持する。
【００１６】
カバー枠２４は、５個の折り曲げ部５０、折り曲げ部５２、折り曲げ部５４、折り曲げ部５６、及び、折り曲げ部５８を有する。折り曲げ部５０、５２、５４、５６、５８は、モジュール本体３０の周縁とカバーパネル３２の周縁との間に挟まれる領域の一例である辺部４２、４４、４６よりも外側に形成されている。図３に示す形態においては、折り曲げ部５０、５２、５４、５６、５８は、辺部４２、４４、４６に対してモジュール本体３０側へと折り曲げられて形成されている。ここで、折り曲げ部５０、５２、５４、５６、５８の折り曲げによる厚みは、モジュール本体３０の厚みよりも小さくなっている。
【００１７】
折り曲げ部５０と折り曲げ部５２は、開口端から延びる一方の辺部４２の外側に設けられている。折り曲げ部５０と折り曲げ部５２は、間隔を空けて配置されている。折り曲げ部５０及び折り曲げ部５２には、ねじ２６が挿入される挿入穴６０及び挿入穴６２が形成されている。挿入穴６０、６２の直径は、ねじ２６の直径よりも大きい。これにより、挿入穴６０、６２に挿入されたねじ２６と挿入穴６０、６２との間には、隙間が形成される。この結果、挿入穴６０、６２とねじ２６との相対位置の誤差等を吸収することができる。折り曲げ部５４は、開口端から延びる他方の辺部４４の外側に設けられている。折り曲げ部５４は、辺部４２及び辺部４４を挟み、折り曲げ部５０と対向する位置に配置されている。折り曲げ部５４には、ねじ２６が挿入される挿入穴６４が形成されている。挿入穴６４の直径は、ねじ２６の直径よりも大きい。
【００１８】
折り曲げ部５６は、他方の辺部４４の外側に設けられている。折り曲げ部５６と折り曲げ部５４の間隔は、折り曲げ部５０と折り曲げ部５２の間隔と略同じである。折り曲げ部５６には、ねじ２６が挿入される挿入穴６６が形成されている。挿入穴６６の直径は、ねじ２６の直径よりも大きい。折り曲げ部５６の折り曲げ部５４側には、一方が開口された位置決め凹部６７が形成されている。折り曲げ部５８は、他方の辺部４４の外側に設けられている。折り曲げ部５８は、折り曲げ部５４よりも開口側に配置されている。折り曲げ部５８には、位置決め孔６８が形成されている。
【００１９】
固定枠１５は、カメラ１１のボディ１６の後面の中央部に固定されている。固定枠１５は、平面部７２と、立設部７４と、４個の固定部７６、固定部７８、固定部８０、及び固定部８２と、一対の位置決め部８４及び位置決め部８６とを有する。
【００２０】
平面部７２は、カバーパネル３２の面と平行な板状に形成されている。平面部７２は、矩形状に形成されている。平面部７２の中央部には、開口部８８が形成されている。図３に示す形態においては、開口部８８は、カバーパネル３２の外形に対応する形状に形成されている。これにより、カバーパネル３２は、折り曲げ部５０、５２、５４、５６がカメラ本体１２の固定枠１５にねじ止めされた場合に、開口部８８から露出する。平面部７２の３本の辺は、カバー枠２４の３本の辺部４２、４４、４６に沿うように形成されている。
【００２１】
立設部７４は、平面部７２の前面に設けられている。立設部７４は、平面部７２に対して略垂直に立設している。立設部７４は、平面部７２の各辺の中央部に沿って設けられている。立設部７４は、矩形状の四辺に沿った線状に形成されている。立設部７４の中央部は、開口部８８よりも大きく開口されている。平面視において、立設部７４の幅は、平面部７２の幅よりも小さい。
【００２２】
固定部７６、７８、８０、８２は、立設部７４の外側に配置されている。固定部７６、７８、８０、８２は、立設部７４と一体に形成されている。固定部７６、７８、８０、８２は、略円柱形状に形成されている。固定部７６、７８、８０、８２の前後方向の高さは、立設部７４の前後方向の高さよりも低い。固定部７６、７８、８０、８２の後面は、平面部７２の前面と一体に形成されている。従って、固定部７６、７８、８０、８２の前面７７、前面７９、前面８１、前面８３は、固定部７６、７８、８０、８２が形成されていない立設部７４の前面７５よりも低い。換言すると、固定部７６、７８、８０、８２が形成されている領域の立設部７４の前面７５は、他の領域の立設部７４の前面７５よりも後方に位置する。従って、固定部７６、７８、８０、８２が形成されている領域の立設部７４の前面７５は、段部８５となる。段部８５には、折り曲げ部５０、５２、５４、５６、５８が載置される。ここで、段部８５の前後方向の高さは、載置される領域の折り曲げ部５０、５２、５４、５６、５８の高さよりも小さい。従って、固定部７６、７８、８０、８２が形成されていない領域の立設部７４の前面７５は、折り曲げ部５０、５２、５４、５６、５８の前面５１、前面５３、前面５５、前面５７、前面５９よりも前方に突出する。これにより、折り曲げ部５０、５２、５４、５６、５８に外力が作用することを抑制できる。
【００２３】
固定部７６、７８、８０、８２には、ねじ孔９０、９２、９４、９６が形成されている。４個のねじ孔９０、９２、９４、９６は、それぞれカバー枠２４の４個の挿入穴６０、６２、６４、６６と対向する位置に形成されている。これにより、挿入穴６０、６２、６４、６６に挿入されたねじ２６がねじ孔９０、９２、９４、９６に螺合される。この結果、折り曲げ部５０、５２、５４、５６がカメラ本体１２の固定枠１５にねじ止めされて、カバー枠２４がカメラ本体１２に固定される。
【００２４】
位置決め部８４、８６は、立設部７４の外側に配置されている。位置決め部８４、８６は、円柱形状に形成されている。位置決め部８４、８６の前面には、円柱形状の突部９８、９９が形成されている。突部９８は、折り曲げ部５８の位置決め孔６８と対向する位置に配置されている。突部９９は、折り曲げ部５６の位置決め凹部６７と対向する位置に配置されている。突部９８を位置決め孔６８に挿入するとともに、突部９９を位置決め凹部６７に挿入することにより、固定枠１５に対するカバー枠２４の相対位置が決められる。ここで、突部９９が挿入される位置決め凹部６７の一方は開口されているので、製造段階等での形状の誤差を位置決め凹部６７によって吸収することができる。
【００２５】
次に、上述した表示装置１３の組み立て工程について説明する。まず、カバーパネル３２をモジュール本体３０の後面である表示面３１の側に接着して、表示モジュール２２を組立てる。次に、カバー枠２４の２本の辺部４２、４４が表示モジュール２２の溝３８に挿入されるように、カバー枠２４の開口側から表示モジュール２２を挿入する。開口と対向するカバー枠２４の辺部４６が、表示モジュール２２の溝３８に達すると、カバー枠２４の表示モジュール２２への組み込みが完了する。
【００２６】
次に、位置決め部８４、８６の突部９８、９９を折り曲げ部５８、５６の位置決め孔６８及び位置決め凹部６７に挿入して、カメラ本体１２に固定された固定枠１５に対するカバー枠２４及び表示モジュール２２の位置を決める。この後、４個のねじ２６を、折り曲げ部５０、５２、５４、５６の挿入穴６０、６２、６４、６６に通して、ねじ孔９０、９２、９４、９６に螺合させることにより、カバー枠２４及び表示モジュール２２を固定枠１５に固定する。これにより、表示装置１３のカメラ本体１２への組み立て工程が終了する。
【００２７】
上述したように表示装置１３では、モジュール本体３０とカバーパネル３２との間に形成された溝３８にカバー枠２４を挿入して、モジュール本体３０の周縁とカバーパネル３２の周縁とによってカバー枠２４を挟んでいる。これにより、表示モジュール２２の前面から押圧する部材を設ける必要がないので、表示装置１３の薄型化を実現できる。また、モジュール本体３０及びカバーパネル３２によってカバー枠２４を挟むことにより、接着シート等によってカバー枠を固定する場合に比べて、外力からの影響を低減して、強固に固定することができる。
【００２８】
表示装置１３では、カバー枠２４をモジュール本体３０とカバーパネル３２とによって挟むことにより、固定枠１５に外力が作用しても、その外力がカバー枠２４を介してモジュール本体３０のみに作用することを抑制できる。これにより、表示装置１３は、外力に起因するモジュール本体３０とカバーパネル３２との剥離を抑制することができる。
【００２９】
表示装置１３では、カバー枠２４が折り曲げ部５０、５２、５４、５６、５８を有するとともに、段部８５が折り曲げ部５０、５２、５４、５６、５８が配置される立設部に形成されている。このため、折り曲げ部５０、５２、５４、５６、５８を段部８５に組み込むことによって、固定枠１５に対するカバー枠２４の位置ずれを抑制できる。この結果、容易に表示装置１３を組立てることができる。
【００３０】
表示装置１３では、カバー枠２４に折り曲げ部５０、５２、５４、５６、５８を形成している。これにより、カバーパネル３２に段部を形成する場合に比べて、金属製のカバー枠２４を折り曲げることによって容易に折り曲げ部５０、５２、５４、５６、５８を形成することができる。
【００３１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００３２】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【００３３】
例えば、上述の実施形態では、略矩形状の表示装置１３を例に説明したが、表示装置を他の形状に構成してもよい。上述の実施形態では、モジュール本体３０に段差を形成したが、カバーパネルに段差を形成してもよい。上述の実施形態では、液晶パネルを有する表示装置１３を例に説明したが、有機ＥＬ等の他の方式で表示装置を構成してもよい。
【符号の説明】
【００３４】
１１  カメラ
１２  カメラ本体
１３  表示装置
１４  操作部
１５  固定枠
１６  ボディ
２２  表示モジュール
２４  カバー枠
２６  ねじ
３０  モジュール本体
３１  表示面
３２  カバーパネル
３４  ベース部
３６  凸部
３７  段差
３８  溝
４２  辺部
４４  辺部
４６  辺部
５０  折り曲げ部
５２  折り曲げ部
５４  折り曲げ部
５６  折り曲げ部
５８  折り曲げ部
６０  挿入穴
６２  挿入穴
６４  挿入穴
６６  挿入穴
６７  位置決め凹部
６８  位置決め孔
７２  平面部
７４  立設部
７５  前面
７６  固定部
７７  前面
７８  固定部
７９  前面
８０  固定部
８１  前面
８２  固定部
８３  前面
８４  位置決め部
８５  段部
８６  位置決め部
８８  開口部
９０  ねじ孔
９２  ねじ孔
９４  ねじ孔
９６  ねじ孔
９８  突部
９９  突部
【図１】
2012063557.tif 000003
【図２】
2012063557.tif 000004
【図３】
2012063557.tif 000005
【図４】
2012063557.tif 000006
【図５】
2012063557.tif 000007